(57)【要約】保管および最終的な処理のために流体を容器に引き込むのに吸引を利用することができる流体収集システムおよび方法が開示されている。システムは、流体を負圧下で収集、保管、および輸送することができるチャンバーを提供するために、剛性または半剛性のキャニスターを利用することができる。システムは、キャニスターの壁から流体および液体廃棄物を隔離するために、使い捨てのまたは再使用可能な可撓性、半剛性、または剛性のライナーを利用することができる。様々な実施形態において、単一のキャニスター組立体または複数のキャニスター組立体のいずれかがマニホールドに装着され、マニホールドは各キャニスター組立体を支持し且つ／または各キャニスター組立体の吸引源への接続を提供するように構成される。
2019517285.tif 000002
【特許請求の範囲】
【請求項１】
流体収集システムであって、
外側容器と、
前記外側容器に連結された取り外し可能な蓋であって、取り付けられたライナーを有し、前記蓋および前記外側容器は前記ライナーを取り囲み、前記ライナーの外面と前記外側容器の内面との間に間隙空間が画成される、蓋と、
前記外側容器内に配置されている真空通路であって、
真空源と連通する第１通路部と、
前記第１通路部および前記ライナーの内部と連通するライナー真空通路と、
前記第１通路部および前記間隙空間と連通する間隙真空通路と
を備える真空通路と
を備える、流体収集システム。
【請求項２】
前記ライナー真空通路は前記蓋に配置されている、請求項１に記載の流体収集システム。
【請求項３】
前記間隙真空通路は前記外側容器に配置されている、請求項２に記載の流体収集システム。
【請求項４】
前記第１通路部は前記外側容器内に配置されている、請求項１に記載の流体収集システム。
【請求項５】
前記ライナー真空通路は前記蓋および前記外側容器に配置されている、請求項４に記載の流体収集システム。
【請求項６】
前記間隙真空通路は前記外側容器内に配置されている、請求項５に記載の流体収集システム。
【請求項７】
前記間隙真空通路は、前記蓋および前記外側容器に配置されている、請求項５に記載の流体収集システム。
【請求項８】
前記第１通路部の少なくとも一部は、前記蓋に配置されている、請求項１に記載の流体収集システム。
【請求項９】
前記ライナー真空通路は前記蓋内に配置されている、請求項８に記載の流体収集システム。
【請求項１０】
前記間隙真空通路が前記蓋内に配置されている、請求項９に記載の流体収集システム。
【請求項１２】
キャップが、前記蓋の前記ライナーから離れた方に面する側で前記ライナー真空通路の少なくとも一部を封止する、請求項１に記載の流体収集システム。
【請求項１３】
前記ライナー真空通路と連通して配置されたフィルターをさらに備える、請求項１に記載の流体収集システム。
【請求項１４】
前記フィルターは前記蓋に取り付けられている、請求項１３に記載の流体収集システム。
【請求項１５】
前記フィルターは前記ライナー真空通路内に配置されている、請求項１３に記載の流体収集システム。
【請求項１６】
前記蓋はハウジング部開口部を含み、前記フィルターは前記ハウジング部開口部内に収容され、前記ハウジング部開口部はキャップで実質的に封止される、請求項１３に記載の流体収集システム。
【請求項１７】
前記蓋は化学薬品収容部を含む、請求項１に記載の流体収集システム。
【請求項１８】
前記化学薬品収容部は、前記蓋の前記ライナーに面する側に配置されたシールを含む、請求項１７に記載の流体収集システム。
【請求項１９】
前記化学薬品収容部は、前記蓋の前記ライナーから離れた方に面する側に配置された可撓性の壁を含む、請求項１８に記載の流体収集システム。
【請求項２０】
流体収集システムであって、
真空源に接続可能な真空マニホールドであって、
共通真空供給流路と、
各補助真空ポートが真空経路を介して前記共通真空供給流路と選択的に流体連通する複数の補助真空ポートと、
それぞれの真空ポートと共通真空供給流路との間の流体連通を選択的に開閉するための各真空経路内に配置された弁と、
流体容器の装着部を受け入れるように構成された少なくとも１つの装着部であって、各流体容器の対応する真空コネクター部に接続するように構成された真空コネクター受け入れポートを含む装着部と
を備える、流体収集システム。
【発明の詳細な説明】
【技術分野】
【０００１】
本明細書で開示される流体収集システムおよび方法は、医療流体収集、処理および他の関連する方法の分野に関することができ、より具体的には、特定の態様は、様々な流体および液体廃棄物を直接的または間接的に入れるためのキャニスターを利用する医療廃液の収集および／または処理システムに関することができ、このようなキャニスターは、キャニスター壁から流体を隔離するための可撓性、半剛性または剛性のライナーを含むことができる。
【背景技術】
【０００２】
優先権の主張
本出願は、２０１６年４月２５日に出願された「チューブレスタンデムコネクターを有する流体収集吸引キャニスターシステムおよび関連する方法」という発明の名称の米国仮出願第６２／３２７，４３５号（その全内容が参照により本明細書に組み込まれる）に対する優先権および利益を主張し、２０１６年８月２８日に出願された「流体収集システムおよび使用方法」という発明の名称の米国仮出願第６２／３８０，４７２号（その全内容が参照により本明細書に組み込まれる）に対する優先権および利益を主張し、２０１６年８月２８日に出願された「流体収集システムおよび使用方法」という発明の名称の米国仮出願第６２／３８０，４７４号（その全内容が参照により本明細書に組み込まれる）に対する優先権および利益を主張する。
【０００３】
手術室、救急処置室および他の医療施設を含み得る医療環境は、液体廃棄物を発生する。液体廃棄物は、血液および他の体液、灌注液、または浮遊物および他の様々な粒子などの他の流体を含み得る、患者の身体から取り除かれた分泌物を含み得る。関連技術の典型的な廃棄物キャニスターは、負圧（本明細書では区別なく「吸引（力）」または「真空」とも称する）が連通されてキャニスターの内部に負圧を生じさせて排出部位または手術部位から或いはその付近から流体および液体廃棄物を吸引または排出する保管容器である。蒸気、煙、粒子、および小さな固形物も一般的に吸引キャニスターに吸い込まれる。固体を含む気体は、一般的にろ過され、キャニスターから排出され、一方、流体および液体廃棄物はキャニスターに集められる。キャニスターシステムは、流体および液体廃棄物をキャニスター壁から隔離するために、可撓性、半剛性または剛性のライナーを含むことができる。可撓性ライナーは、しばしば、広げられた状態で或いは圧縮されまたは折り畳まれた状態で蓋に固定されており、キャニスター壁の内側に収まるように広げることができる。液体および液体廃棄物は、蓋またはキャニスターにあるポートを通って入り、キャニスターまたはライナーを満たすことができる。使用後、可撓性または半可撓性のライナーを密封し、キャニスターから取り出し、所望の方法で廃棄することができる。流体および液体廃棄物をキャニスターの外壁から隔離するシステムにおいて、キャニスターを複数の新しい蓋および／またはライナー組立体と共に再使用することができる。キャニスターは、取り外して廃棄するかまたは定期的に消毒して再使用することができる。
【０００４】
個別に使用すると、キャニスター組立体は、一般的に、通常の使用のために少なくとも２つのポート、（１）キャニスターの内部に吸引を加えるための真空または吸引ポートおよび（２）流体がキャニスターの内部に入ることを可能にする患者ポートを必要とする。しかしながら、流体容積が単独のキャニスターの能力を超える場合、第１キャニスターが容量まで満たされると、第１キャニスターに集められた余分な流体がタンデム接続、一般的に第１蓋のタンデムポート（直立ポートとしても知られている）と第２蓋の患者ポートとの間のタンデムチューブ接続を通して第２キャニスターに引き込まれるように、複数のキャニスターが一般に直列配置で（すなわち、縦一列になって）接続される。一般に、特定の医療処置（例えば、手術）中に生成される大量の流体を収容するために、６つ以上のキャニスターが直列に接続される。現在、様々なポートを真空源、患者または流体収集器具、および他の直列接続されたキャニスターのいずれかに接続するのに、端部取付具に連結された可撓性チューブが一般的に使用されている。一般的に、関連技術において、上述の流体収集システムおよび方法は、単独のまたは複数のキャニスターの内部に負圧を生成するための真空システムを含む。チューブは、流体および液体廃棄物の容量を増加させるために一連のキャニスターを接続することができる。一連のキャニスターを使用する場合、各キャニスターを接続するのに相当な数のチューブが必要なことがある。多数のチューブの使用、取り付け、取り外しは視覚的に魅力的でなく、気を散らせ、危険である。複数のキャニスターを接続するプロセスは複雑で時間がかかるため、単独または一連のキャニスターをセットし且つ接続する改良されたシステムが必要である。
【発明の概要】
【課題を解決するための手段】
【０００５】
特に、本開示の様々な態様は、保管および最終的な処理のために流体を容器に引き込むのに吸引を利用する流体収集システムを含むことができる。システムは、流体を負圧下で収集、保管、および輸送することができるチャンバーを提供するために、剛性または半剛性のキャニスターを利用することができる。本開示の特定の態様において、システムは、流体および液体廃棄物をキャニスターの壁から隔離するために、使い捨てのまたは再使用可能な可撓性、半剛性、または剛性のライナーを利用することができる。このようなキャニスターおよびライナーは、使い捨てまたは再利用可能である。
【０００６】
一態様において、システムは、少なくともキャニスター本体および蓋を含む１つ以上のキャニスター組立体を含む。蓋は、キャニスター本体にある開口を覆い、キャニスター本体と共に密封を形成することができる。キャニスター本体および蓋は、締まり嵌め、キャニスター本体および蓋に設けられた噛み合うねじ山、キャニスターと蓋との間のロック接続を形成するための変形可能なタブ、および／または蓋とキャニスターとの間の確実な接続を可能にするのに適した任意の他の方法および特徴を用いて取り付けられるように構成されることができる。キャニスター本体または蓋は、キャニスター本体と蓋との間の確実な接続を示すために、可視、可聴、または他の表示を含むことができる。一部の実施形態において、キャニスターの内部に加えられた吸引の結果としてキャニスター本体および蓋がシールを形成するように構成されることができるので、確実な接続は必要とされない。
【０００７】
各蓋および／またはキャニスターは、１つ以上の真空ポート、すなわち真空源を取り付けるための接続部と、１つ以上の患者または器具ポート、すなわち患者の流体吸引器具または排液チューブなどの流体源に接続するための接続部とを含むことができる。各蓋は、患者ポートまたは隣接するキャニスター組立体の別個のタンデム受け側ポートのいずれかに接続するためのタンデムポートをさらに含むことができる。各タンデムコネクターおよび患者／タンデム受け側ポートは、第１キャニスターのタンデムコネクターが流体保管能力を増大させるために隣接する容器の患者／タンデム受け側ポートに接続するタンデム配置で複数のキャニスターを使用することができるように、相互作用するように構成されることができる。本明細書に開示されている特徴の多くは、流体がキャニスター自体に直接集められるようにライナーがないキャニスターシステムに関連しても実施され得ることが、当業者には理解されるであろう。
【０００８】
ポートは、マニホールドまたは別のキャニスター組立体に直接的に、或いはキャニスター本体を介して、または例えば可撓性、剛性、または半剛性のチューブを使用して間接的に接続することができる。蓋はまた、凝固剤を受け入れまたは収容するための開口部またはホルダーを含むことができ、開口部またはホルダーは、別個の構成要素として蓋に装着されるか、蓋に成形されるかまたは取り付けられることができる。蓋は、ハンドルをさらに含むことができ、ハンドルは、蓋と一体的に形成されるか、蓋に固定されるかまたは旋回可能に取り付けられることができる。
【０００９】
１つの例示的な構成において、各キャニスター組立体は、蓋に永久にまたは取り外し可能に取り付けられた可撓性または半可撓性のライナーを有する剛性または半剛性の蓋を含む。蓋およびライナー組立体は、剛性または半剛性のキャニスターに嵌合するように、且つ剛性または半剛性のキャニスターから別々に取り外し可能であるように構成される。これらの構成において、ライナーの内部に負圧が加えられると、ライナーがつぶれたり部分的につぶれる可能性がある。したがって、ライナーの外側とキャニスター壁の内面との間の空間（一般に本明細書では「間隙空間」と称する）に、間隙空間に負圧が形成されるように吸引を加えることが有利であり得る。間隙空間内の負圧は、ライナーを内側キャニスター壁に向かって外側に引っ張り、ライナーの内部に負圧が存在するときにライナーがつぶれるのを防ぐ。
【００１０】
１つの非限定的な態様は、マニホールドに装着された単一のキャニスター組立体または複数のキャニスター組立体のいずれかを含み、マニホールドは、キャニスター組立体を支持し且つ／または各キャニスター組立体のための吸引源への接続を提供するように構成される。１つの構成において、マニホールドは、医療施設の中央真空システムまたはマニホールドと一体であるかもしくはマニホールドに接続された独立した真空発生器のような、主吸引源と連通する共通吸引チャンバーを提供する。マニホールドは、共通吸引チャンバーから分岐する複数の吸引流路を含むことができる。各吸引流路は、１つ以上のキャニスター組立体に吸引を供給するための補助真空源を提供する。また、マニホールドは、主吸引チャンバーおよび／または１つ以上の補助真空源接続部に供給される吸引量またはそれらのオン／オフ状態を個別に制御するための１つ以上の弁を含むことができる。別の態様において、マニホールド本体は、真空経路の各補助真空源接続部との連通を選択的に開閉するための、レバー、スイッチ、またはボタンによって操作可能な弁を含む。スイッチまたはボタンは、視覚的な印を含むか、あるいは真空経路を制御する弁が開いているかまたは閉じていることを他の方法でユーザーに示すことができる。補助真空源は、対応するキャニスターが満杯になると自動的に遮断するように構成されることもできる。
【００１１】
一部の変形例において、主真空源によって供給される吸引は、補助真空源接続を介してマニホールドを通って各キャニスター組立体に分配されることができる。補助真空源接続部は、蓋、キャニスター本体、またはその両方を介して、間隙空間およびライナーの内部と連通することができる。補助真空源接続部は、間隙空間またはライナーの内部に個別に吸引を提供することができる。代わりに、補助真空源接続部は、ライナーの内部および間隙空間の両方に吸引を提供することができる。また、単一の容器のみが使用される変形例において、主真空源は、蓋またはキャニスター本体の一方または両方を介してライナーの内部および／または間隙空間に直接接続されることができる。本明細書に開示されている特徴の多くは、流体がキャニスター自体の内部に直接集められるようにライナーがないキャニスターシステムに関連しても実施され得ることが、当業者には理解されるであろう。
【００１２】
キャニスター、蓋／ライナーおよびマニホールドは、様々な構成で配置されることができ、システムは、マニホールドに対して所望の向きで単一のキャニスター組立体または複数のキャニスター組立体のいずれかを支持するための複数の装着オプションを有することができる。一部の変形例において、装着構造は、１つ以上のキャニスターおよび／または蓋を、他の装着されたキャニスターおよび／または蓋に対して固定された位置および向きに保持することができる。キャニスター組立体または複数のキャニスター組立体の装着は、キャスター付きスタンドもしくはカートなどの可動ホルダー、または壁ブラケットもしくは表面実装などの固定ホルダーを含むことができる。一態様において、各キャニスター組立体のホルダーの装着部は、ユーザーがキャニスターおよび／または蓋をホルダー内に送達するとき、ホルダーがキャニスター本体および／または蓋に接触して安定して保持するように、キャニスターおよび／または蓋の対応する装着部と実質的に一致する形状にされることができる。別の構成において、ホルダーおよび／またはマニホールドは、キャニスターの蓋から突出する延長部と接触することができる。他の態様は、キャニスター本体から突出する延長部と接触するホルダーおよび／またはマニホールドを含むことができる。装着部は、キャニスター組立体を支持するためにマニホールド本体またはホルダー上の対応する装着部に嵌合することができる。上述の装着オプションの各々は、吸引チューブ、チューブコネクター、ヤンカウアーのような吸引器具、凝固剤および／または殺菌剤、および他の関連する付属品を含む様々な付属品を装着するための保管部を含むことができる。保管部の非限定的な例は、フック形ブラケット、引出し、または棚を含むことができる。
【００１３】
様々な構成が、上述の装着オプションに対応し得る。例えば、キャニスター本体は、内部真空通路を含み得る突出した装着部を有することができる。内部真空通路は、共通吸引チャンバーまたは補助真空源通路のいずれかと連通することができる。様々な実施形態において、補助真空源通路は、それぞれが単一のキャニスター組立体に吸引を伝達するための別々の補助真空源接続部につながる別々の通路に分岐することができる。これらの構成において、第１開口部は、キャニスター本体内に位置する内部通路を介して直接的に、またはライナーの外部とキャニスターの壁の内部との間に位置する蓋の間隙開口と連通する蓋内の通路を介して、間隙空間に吸引を伝達することができる。マニホールド内の第２開口部は、ライナーの内部に吸引を供給するために蓋の内部通路と連通することができる。一部の実施形態において、マニホールド内の第２開口部は、ライナーの内部に吸引を供給するために蓋の内部通路と連通するキャニスター本体の第２内部通路と連通することができる。
【００１４】
様々な他の構成において、吸引は、蓋の単一の接続部でキャニスター組立体に提供されることができ、蓋を通して、ライナーとキャニスター本体との間に位置する間隙吸引開口部に送られることができ、蓋に加えられた吸引は、ライナーの内部にも連通するようにさらに送られることができる。代わりに、吸引は、キャニスター本体の単一の接続部で提供されることができ、キャニスター本体の通路を介して間隙空間に送られることができる。キャニスター本体に加えられた吸引は、ライナーの内部と連通している蓋の通路にも連通するように、キャニスター本体の内部通路の分岐部を通してさらに送られる。代わりに、間隙空間に加えられた吸引は、ライナーの外側と内側のキャニスター壁との間に位置する蓋の開口部を有する蓋の通路を介してライナーの内部に伝達されることができる。
【００１５】
特定の態様において、蓋は、蓋の中央部から遠位側に外方に延びる実質的に剛性の突出部材を含む。真空ポートが、突出部材の遠位部に設けられ、装着インターフェースに装着されたキャニスターに蓋を接続する際に、または予め組み立てられたキャニスター、蓋、およびライナー組立体を装着インターフェースに装着する際に、装着インターフェースに設けられた相手方の真空ポートに接続するように構成される。特定の態様において、突出部材、または別の突起を持つ機構は、キャニスター組立体を１つ以上の所定の向きでのみブラケットまたはスタンドに装着されることができるように構成される。これら所定の向きは、装着インターフェースおよび他の装着されたキャニスター組立体に対する、蓋の患者ポート、真空ポート、およびタンデムポートの一貫した位置決めおよび配向を保証するために実施されることができる。
【００１６】
特定の態様において、流体収集システムは、複数のキャニスター組立体を支持するように構成された支持スタンドを含む。ブラケットまたは支持スタンドは、それらに装着された他のキャニスター組立体に対してキャニスター組立体を所定の位置および向きに保持するように構成されることができる。この特徴は、各キャニスター組立体の患者ポートおよびタンデムポートの互いに対する位置および方向の一貫性を確実にするために実施されることができる。より具体的には、これらの特徴は、装着された第１キャニスター組立体のタンデムポートまたは患者ポートが、第１キャニスター組立体に隣接して装着された第２キャニスター組立体のタンデムポートに対して所定の位置および向きにあること、第２キャニスター組立体の患者ポートは、第２キャニスター組立体に隣接して装着された第３キャニスター組立体のタンデムポートに対して所定の位置および向きにあることを確実にするために実施されることができる。この構成は、管接続の一貫した位置決めを提供し、それによって、直列に接続された流体収集キャニスターシステムの組み立ておよび使用を簡単にし、人為的ミスの可能性をさらに低減する。
【００１７】
上述したような複数の直列接続されたキャニスターシステムの所定の位置決めおよび配向は、従来の柔軟なチューブタンデムコネクターと共に実施することができるが、キャニスターポートの互いに対する所定の距離および向きは、有利なことにより剛性の高いタンデムコネクターの使用を可能にする。特定の態様において、流体収集システムは、第１キャニスター組立体の第１蓋に連結された剛性のまたは少なくとも半剛性のタンデムコネクターアームを含む。特定の態様において、アームは、近位端にあるポートと、遠位端にあるポートと、これらの近位ポートと遠位ポートを互いに連通させる流路または通路とを含む。アームの近位端は、第１蓋と回転可能に連結され、近位ポートは、第１蓋の相手方のポートと協働して、第１キャニスター組立体ライナーの内部をアームの遠位ポートと連通させる。アームは、遠位ポートが隣接するキャニスター組立体の対応するタンデムポートまたは患者ポートと係合して、隣接するキャニスター組立体の内部を第１キャニスター組立体の内部と連通させ、それにより２つのキャニスター組立体間のタンデム接続を完成するように、その近位端の周りで回転するように構成されることができる。アームもしくは蓋、またはアームと蓋の両方は、アームを伸長させる（すなわち、蓋の中心から離れるように回転させる）と開き、キャニスター組立体内に集められた流体の漏れを防ぐためにアームを収縮させると閉じるように構成された弁を含む。
【００１８】
開示された様々な態様は特定の医療廃棄物収集処理装置および／または方法に関連して記載されているが、当業者は、本開示の態様が医療用および／または非医療用の洗浄装置およびプロセスを含み得る他の好適な医療および非医療用途に使用できることを理解するであろう。
【図面の簡単な説明】
【００１９】
本開示の実施形態は、本開示のシステム、装置および方法の様々な詳細に目を向けさせる以下の図面によって説明される。本開示の様々な態様の例示的な特徴および利点は、以下の説明、特許請求の範囲および図面によってよりよく理解されるであろう。
【図１（ａ）】本開示の態様による、マニホールド本体の対応する装着インターフェースに放射状に装着された複数の吸引キャニスター組立体を含む例示的な流体収集システムの斜視図である。
【図１（ｂ）】本開示の態様によるキャニスター組立体およびマニホールド組立体の分解図である。
【図２】本開示の態様による、マニホールドに装着されたキャニスター組立体を含む、図１の例示的な流体収集システムの断面図である。
【図３】本開示の態様による、真空経路、マニホールド組立体、およびキャニスターとマニホールド本体との境界面を示す、図１および２の例示的な流体収集システムの斜視断面図である。
【図４】本開示の態様による、マニホールド内の真空を制御するために使用され得る例示的な弁を示す。
【図５】本開示の態様による、マニホールド内の真空を制御するために使用され得る別の例示的な弁の斜視図である。
【図６】本開示の態様による、マニホールド本体の対応する装着インターフェースに直線的に装着された複数の吸引キャニスター組立体を含む別の例示的な流体収集システムの斜視図である。
【図７】本開示の態様によるキャニスター組立体の分解図である。
【図８】本開示の態様によるマニホールド組立体の分解図である。
【図９】本開示の態様による、マニホールドに装着されたキャニスター組立体を含む、図６の例示的な流体収集システムの断面図である。
【図１０】本開示の態様による、図６の例示的な流体収集システムのマニホールドの断面図である。
【図１１】別の例示的な流体収集システムの斜視図である。
【図１２】本開示の態様によるキャニスター組立体の詳細図である。
【図１３】本開示の態様によるキャニスターの斜視図である。
【図１４】本開示の態様による蓋およびライナー組立体の斜視図である。
【図１５】本開示の態様による蓋の斜視図である。
【図１６】本開示の態様による蓋の上面図である。
【図１７】本開示の態様による蓋の底面斜視図である。
【図１８】本開示の態様による蓋の底面図である。
【図１９】本開示の態様による流体収集システムの詳細斜視図である。
【図２０】本開示の態様による流体収集システムの断面図である。
【図２１】本開示の態様による蓋の正面図である。
【図２２】本開示の態様による蓋の側面図である。
【図２３】本開示の態様による蓋の斜視図である。
【図２４】本開示の態様による蓋の上面図である。
【図２５】本開示の態様による蓋の側面図である。
【図２６】本開示の態様による蓋の正面図である。
【図２７】本開示の態様による蓋組立体の斜視図である。
【図２８】本開示の態様による蓋の底面図である。
【図２９】本開示の態様による蓋の底面斜視図である。
【図３０】本開示の態様による蓋の底面図である。
【図３２】本開示の態様による蓋の斜視図である。
【図３３】本開示の態様による蓋の上面図である。
【図３４】本開示の態様による蓋の側面図である。
【図３５】本開示の態様による蓋の正面図である。
【図３６】本開示の態様による蓋の斜視図である。
【図３７】本開示の態様による蓋の側面図である。
【図３８】本開示の態様による蓋の正面図である。
【図３９】本開示の態様によるキャニスター組立体の斜視図である。
【図４０】本開示の態様による流体収集システムの斜視図である。
【図４１】本開示の態様による流体収集システムの詳細斜視図である。
【図４２】本開示の態様によるキャニスター組立体の斜視図である。
【図４３】本開示の態様によるキャニスター組立体の詳細斜視図である。
【図４４】本開示の態様による流体収集システムの詳細斜視図である。
【図４５】本開示の態様によるキャニスター組立体の詳細斜視図である。
【図４６】図４６Ａ〜４６Ｃは、本開示の態様による化学薬品放出機構の図である。
【００２０】
図面は、本開示のシステムおよび方法の例示的な実施形態の図式的且つ概略的な表現であり、限定的なものでなく、必ずしも縮尺通りに描かれていないことを理解されたい。
【発明を実施するための形態】
【００２１】
添付の図面に関連して以下に述べる詳細な説明は、様々な構成の説明として意図されており、本明細書に記載された概念を実施できる構成のみを表すことを意図するものではない。詳細な説明は、様々な概念の完全な理解をもたらすために具体的な詳細を含む。しかしながら、当業者には、これらの概念がこれらの特定の詳細なしで実施され得ることが明らかであろう。
【００２２】
本明細書で開示されるシステムおよび装置の様々な態様は、互いに接続、連結、取り付け、結合および／または接合された構成要素を説明することによって説明されることができる。本明細書で使用される場合、用語「接続される」、「連結される」、「取り付けられる」、「結合される」および／または「接合される」は、２つの構成要素の間の直接的な接続、または必要に応じて、介在する構成要素または中間的な構成要素を介した互いに間接的な接続を示すために区別なく使用される。また、特に指定しない限り、これらの用語は、２つの構成要素の間で１つ以上の自由度が堅固に拘束されない接続（例えば、旋回接続、並進接続、旋回および並進接続、弾性接続、可撓接続など）、または２つの構成要素の間ですべての自由度が拘束されるかまたは実質的に拘束される剛性接続または実質的な剛性接続を示すために区別なく使用される。
【００２３】
「下」または「下部」、「上」または「上部」、および「垂直」または「水平」などの相対的な用語は、図面に示される別の要素に対する１つの要素の関係を説明するために本明細書で使用され得る。相対的な用語は、図面に描かれている向きに加えて、システムおよび装置の異なる向きを包含するよう意図されていることが理解されるであろう。例として、図面に示される流体収集システムの態様を裏返す場合、他の要素の「下部」側にあるものとして記載された要素は、関連する図面に示されるように他の要素の「上部」側に向けられる。したがって、「下部」という用語は、図面の特定の向きに応じて、「下部」および「上部」の向きの両方を包含することができる。
【００２４】
本明細書で使用される「流体」という用語は、単に熱力学的および／または流体力学的な意味で定義された物質の状態を指すものに限定されない。「流体」という用語はまた、液状媒体（例えば、灌注流体もしくは血液、または他の液体）の有無にかかわらず偶然に流れ得るかまたは液状媒体を用いて意図的に集められ得る、任意の固体粒子または気体を含むことができる。例えば、流体収集システムが外科的処置において使用される場合、「流体」という用語は、液状媒体（例えば、灌注流体、血液、および患者からの他の体液）と、限定するものではないが、レーザーの使用、焼灼および／または他の医療処置に関連して発生し得るような、患者の身体から除去された切除された組織または煙または他の微粒子および／または気体と混合された有害な粒子を含む任意の固体粒子の組み合わせを指すことができる。本明細書で使用する「流体」という用語はまた、液状媒体、固体粒子、煙、気体、微粒子、およびそれらの組み合わせを指すことができる。
【００２５】
本明細書で使用する「間隙空間」という用語は、キャニスターの内部とライナーの外面との間の空間と流体連通しているが、キャニスターの内部とライナーの外部との間に必ずしも直接配置されない空間を包含することを意図している。例えば、特定の実施形態において、蓋は、キャニスターの内部に向かって下方に延び且つキャニスターの壁から内方にずらされているスカートを含むことができる。ライナーは、キャニスターの内部とスカートの外部との間に空間が画定されるように、スカートの下端に固定されることができる。間隙空間は、間違いなくキャニスターの内部とライナーの外部との間に直接配置されていなくても、そのような空間を含むことが意図されている。
【００２６】
本開示の態様による１つの例示的な流体収集システムを図１〜３に示す。図１（ａ）および１（ｂ）に示される非限定的な態様は、各々が開口部１２５を含むキャニスター本体１１２と、キャニスター開口部１２５を実質的に密閉するように構成された蓋１１１とを有する複数のキャニスター組立体１０１を有する流体収集システム１００を含む。各キャニスター組立体１０１は、マニホールド本体１１６および／またはマニホールド基部１１４に装着される。各蓋１１１は、付属開口部１０４とタンデムポート１０６とを含むことができる。付属開口部１０４は、非限定的な例として、集められた流体から試料を採取するか、もしくは集められた流体を排出するか、または集められた廃液に凝固剤または殺菌剤を導入するために使用されることができる。タンデムポート１０６は、一般的に、複数のキャニスター組立体を直列に接続するために使用されることができるが、容器本体または蓋に取り付けられたライナーのいずれかを空にするために使用されることもできる。蓋１１１は、少なくとも１つの収集ポート１１０（本明細書では患者ポート１１０と称する）を含む。図１（ａ）および１（ｂ）に示す実施例において、蓋１１１は、真空源からライナーの内部へ吸引を伝達する蓋真空通路１０７を含む。各蓋は、ハンドルまたはホルダー１０２と、１つ以上のポートキャップ１２１とをさらに含むことができ、ポートキャップ１２１は、蓋１１１と一体的に成形されるか、もしくは蓋１１１に繋がれるか、または別個の部品として提供されることができる。
【００２７】
図１（ｂ）に示すように、キャニスター組立体１０１は、集められた流体を受け取り且つそのような流体をキャニスター１１２の内面から隔離するためのライナー１１３をさらに含むことができる。キャニスター１１２はまた、マニホールド１１９のキャニスター受け部１１７にキャニスターを装着するための装着部１０９を含むことができる。装着部１０９は、任意選択で、容器の装着部１０９がキャニスター受け部１１７と係合したときにマニホールド補助真空源コネクター１１５と真空を伝達するための真空開口部１０９ａを含むことができる。
【００２８】
図１（ａ）および１（ｂ）に示すように、マニホールド１１９は、真空源蓋１１８と、マニホールドをシステム１００の主真空源と連通させるための真空源コネクター１２０とをさらに含むことができる。蓋１１８は、図２および３に示すように、共通真空チャンバー１２３を囲むことができる。マニホールド１１９は、補助真空源経路（図２に示す例示的な補助真空源通路２０８参照）を介した共通真空チャンバー１２３と各キャニスター組立体１０１との間の吸引の伝達を個別に制御するための１つ以上の真空制御弁１２２をさらに含むことができる。
【００２９】
図１〜３に示すように、マニホールド１１９は、マニホールド基部１１４と、マニホールド本体１１６とを含むことができる。マニホールド本体１１６は、マニホールド基部１１４内の補助真空源コネクター１１５と連通する補助真空源通路２０８をさらに含むことができる。マニホールド本体１１６は、キャニスター装着部１０９を受けるための単一または複数のキャニスター受け部１１７を含むことができる。各装着部１０９は、マニホールド本体１１６のガイド溝１２８（図３参照）内に受け入れられ得るガイドフランジ１３１または類似の取付機構を含むことができる。装着部１０９は、キャニスター１１２がマニホールド本体１１６に装着されたときにマニホールド本体１１６の横方向の面との接触によってキャニスター１１２の動きを制限する止め具１３３をさらに含むことができる。各キャニスター受け部１１７は、基部１３０をさらに含むことができ、基部１３０は、キャニスターがマニホールド本体１１６に装着されたときに各キャニスター１１２のキャニスター装着基部１３６（図３参照）に接触することができる。キャニスターとマニホールド本体との嵌合部は、締まり嵌め、テーパー状要素、弾性タブまたはキャッチおよび対応するスロットのような解除可能なロック機構、および要素を互いに解放可能に固定するための他の様々な機構を使用することによって確実に係合することができることが、当業者には理解されるであろう。また、装着部１０９は、マニホールド本体１１６のキャニスター受け部１１７のコネクター受け部１３４に受け入れられるコネクター部１３５（図３参照）を含むことができる。例えば、コネクター部１３５およびコネクター受け部１３４は、嵌め合い係合のための相補的なテーパー面形状を有することができる。装着部１０９とキャニスター受け部１１７との間の上述の合わせ面は、任意選択で、補助真空源コネクター１１５とキャニスター装着部１０９の真空開口部１０９ａとの境界面を実質的に密閉するための単一または複数のシールをさらに含むことができる。
【００３０】
各蓋１１１は、蓋１１１に恒久的にまたは取り外し可能に取り付けられる可撓性または半可撓性のライナー１１３を有することができる。ライナー１１３は、キャニスター１１２内に嵌合するように且つキャニスター１１２から別個に取り外し可能であるように構成されることができる。図１〜３に示す例示的な構成において、各キャニスター１１２の装着部１０９は、対応する補助真空源コネクター１１５と連通する主真空通路２０４を含む。間隙真空通路２０２が、キャニスター１１２の装着部１０９に設けられた接合部２０６において主真空通路２０４から分岐している。間隙真空通路２０２は、間隙空間２００に吸引を伝達する。吸引は、キャニスター装着部１０９（図２参照）の主真空通路２０４と連通する蓋真空通路１０７を介してライナー１１３の内部に加えられる。蓋通路１０７は、壁部として蓋真空通路キャップ１０８を含むことができる。蓋真空通路キャップ１０８は、蓋１１１の本体に対して恒久的に封止されるか、または蓋１１１の本体から分離可能であることができる。
【００３１】
図１〜３の例示的なシステムにおいて、フィルターおよび／または流体弁および／または他の機構が、蓋通路１０７の延長端部内または延長端部に配置されることができる。このフィルター／弁１３８は、間隙の負圧とライナー１１３の内部における負圧との間に圧力差を生じさせるのに役立ち得る。具体的には、この圧力差は、間隙空間２００においてライナー１１３よりも大きな負圧（すなわち、強い吸引）を生じさせ、それによってライナー１１３をキャニスター１１２の壁１１２ａに向けて引っ張り、ライナー１１３がその内部に存在する負圧の結果として崩壊するのを防ぐ。フィルター／弁１３８はまた、吸引された気体から蒸気、小さな固形物質、および他の微粒子を濾過して、キャニスター、マニホールド、および真空ポンプなどの下流の構成要素の汚染および下流の構成要素への他の損傷を防ぐ。一部の実施形態において、例えば、フィルターは、疎水性フィルターおよび／または親水性フィルターであることができる。本開示の態様に従って使用可能な例示的なフィルターは、参照により本明細書に組み込まれている米国特許第６，７８０，３０９号明細書に開示されている。フィルターおよび／または逆止弁または他の装置は、ライナー１１３に集められた流体の高さがフィルターの高さまで上昇したときに、主吸引源通路２０４を閉じるための自動弁として機能することもできる。１つの好適な弁装置は、液体と接触すると気密シールを形成するように膨らむ親水性材料を含み、気密シールは、ライナーの内部への吸引の供給を遮断し、流体がキャニスターおよびマニホールドの通路に入り、それによりシステムの再利用可能な構成部品を汚染または他の方法で損傷させることを防ぐ。本開示の態様に従って使用可能な主吸引源を閉じるための例示的な弁が、参照により本明細書に組み込まれている米国特許第４，３８４，５８０号明細書に開示されている。また、主吸引源を閉じる弁は、参照により本明細書に組み込まれている米国特許第６，８０８，５１５号明細書に開示されているようなフロートであることができる。弁は、フィルターと別体であることができ、または弁とフィルターが互いに取り付けられるかもしくは互いに接触して配置されることができる。フィルターおよび弁は、互いに一体化されることもできる。例えば、フィルター／弁本体は、フィルター／弁が集められた流体などの液体と接触し、その時点でフィルター／弁が閉じ、それによりフィルター本体を通る流体だけでなく気体の通過も防止することができるまで、フィルター本体を通過することが許される気体から固体および微粒子を濾過する単一材料または複合材料を含むことができる。上述の圧力差を生成するために任意の等価なシステムを使用することができ、本開示の上記の態様はフィルターに限定されないことが、当業者には理解されるであろう。
【００３２】
蓋真空通路１０７は、蓋１１１を貫通して設けられることができ且つ主真空通路２０４に接続することができ、主真空通路２０４は、装着部１０９の本体に設けられた接合部２０６において間隙真空通路２０２に接続する。マニホールド本体の補助真空源通路２０８は、主真空源と通路部２０２、２０４との手動のまたは他の制御を可能にする制御弁１２２を含むことができる。マニホールド本体１１６および／またはマニホールド基部１１４は、制御弁１２２を恒久的にまたは取り外し可能に収容するための制御弁受け部１２４（図１（ｂ）参照）を含むことができる。制御弁受け部１２４は、制御弁１２２内の通路が弁によって流体連通を可能にするかまたは制御弁１２２によって流体の通過を阻止することを選択的に可能にするように、制御弁１２２が受け部に設置されたときに例えば回転軸の周りで回転できるように構成されることができる。
【００３３】
本開示の範囲内で様々な代替的な真空通路の構成を実施できることが、当業者には理解されるであろう。例えば、様々な実施形態を、各通路がマニホールドの別々の補助真空源通路と連通するように、間隙真空通路が主真空通路から分離してキャニスターを通るように構成されることができる。別個の補助真空源通路は、独立して共通真空チャンバーに導かれることができ、または共通真空チャンバーに到達する前に上流の接合部または補助真空チャンバーで互いに合流することができる。別の例として、様々な実施形態において、間隙真空通路は、キャニスター本体を通って、マニホールドにある第１真空接続部に独立して導かれることができ、主真空通路は、蓋を通って、マニホールドにあるかまたはマニホールドとは別の第２真空接続部に直接接続するように構成された蓋の開口部に導かれることができる。
【００３４】
図４（ａ）および４（ｂ）に、本開示の態様による、部分的に組み立てられた例示的な制御弁１２２および完全に組み立てられた例示的な制御弁１２２の拡大図を示す。制御弁１２２は、弁１２２の本体の回転軸から延びるレバー部１４０を含むことができる。また、弁１２２は、制御弁１２２と制御弁受け部１２４との間の空間を密閉し、それにより制御弁受け部１２４を通るマニホールド本体１１６からの流体または真空圧の漏れを防ぐために、任意選択で、単一または複数のＯリング１４１を含むことができる。Ｏリング１４１は、弁１２２が受け部１２４と組み立てられたときにシールを提供することができる任意の好適な材料で形成されることができる。弁１２２は、例えば、一対の可撓性アームと、マニホールド本体１１６のスナップ嵌め受け部１４３と係合する傾斜面とを含む、スナップ嵌め部１４２をさらに含むことができる。図２および３に示すように、スナップ嵌め部１４２は、弁１２２をマニホールド本体１１６内に取り外し可能に保持するためのマニホールド本体１１６のスナップ嵌め受け部１４３（図２および３）に嵌合することができる。弁１２２は、オン回転位置またはオフ回転位置のいずれかで回転軸に沿った回転を制限する回転止め具１４４をさらに含むことができる。例えば、弁１２２がマニホールド本体１１６のスナップ嵌め受け部１４３に取り付けられているとき、弁通路１４５は補助吸引源通路２０８（図２および３）と選択的に位置合わせされることができる。レバー部１４０を（例えば、ユーザーが手で）回転させると、開口部１４６を補助吸引源通路２０８と位置合わせするかまたは位置合わせしないことができ、それにより吸引の伝達を制御することができる。
【００３５】
図５に示すように、オン／オフ弁１２２は、取り付けたときの密閉性を高めるために、単一または複数のＯリングの代替手段としてまたは単一または複数のＯリングと組み合わせて、その外面の一部に好適な可撓性材料１５２を含むこともできる。上述したＯリングと同様に、可撓性材料１５２は、弁１５０の外側回転面における制御弁受け部１２４と可撓性材料１５２との境界面においてマニホールド本体１１６からの漏れを低減するように選択されることができる。また、開口部１５４は、漏れを低減するためにオフ位置にあるときにシールの接触面積を増大させるように、レバー本体に狭められたスリットとして形成されることができる。
【００３６】
本開示の態様による流体収集システムの別の実施形態を図６〜１０に示す。この例示された実施形態の流体収集システム６００は、図１〜５のシステム１００と動作が似ている。システム１００に関して上述したような様々な特徴および要素が、本開示の範囲内に留まると同時に、システム６００の変形例で実施され得ることが、当業者には理解されるであろう。図６〜１０に示す実施形態において、各キャニスター組立体６０１は蓋６１１を有し、図１（ｂ）に示し且つ上述したライナー１１３と同様のライナー６１３を含むことができ、またはキャニスター６１２に直接流体を受け入れることができる。蓋６１１は、キャニスター本体６１２と共に密封を形成する。キャニスター本体６１２および蓋６１１は、例えば締まり嵌め、ねじ付きキャニスター本体および対応するねじ付き蓋、キャニスターと蓋との間の接続を形成するためのタブ、および／または蓋とキャニスターとの間の同様の確実な接続を可能にする任意の他の方法または機構を用いて取り付けられるように構成されることができる。キャニスター本体または蓋は、キャニスター本体と蓋との間で確実な接続が完了したことを示す視覚的な印を含むことができる。可聴および触覚の印を使用することもでき、例えば、蓋は、確実な接続がなされたときにユーザーが聞くことおよび／または感じることができるクリックまたはスナップを生成するタブを含むことができる。各蓋６１１は、図１〜５のシステムのキャップ１０８と機能的に同様の蓋真空通路キャップ６０８を含むことができ、各蓋６１１はまた、旋回可能に装着されたハンドル６０２を含むことができる。代わりに、ハンドル６０２は、蓋の成形部であってもよく、または任意の好適な方法で蓋またはキャニスター本体に取り付けられることができる。
【００３７】
この例示的なシステム６００において、キャニスター本体６１２は、キャニスター６１２がリングホルダー６７０によって支持されるようにマニホールド６１９に装着可能なリングホルダー６７０に挿入されるように構成される。例えば、図９に示すように、リングホルダー６７０は、キャニスター６１２の開放端の近くの肩部６２１および／またはキャニスター壁６２５の周囲に当接し、それによりキャニスター６１２をリングホルダー６７０に対して強固に保持する。リングホルダー６７０は、マニホールド本体６１６のリングホルダー受け部６１７と嵌合するように構成された突出する装着部６０９を有する。リングホルダー６７０の突出する装着部６０９から、コネクター部６３５と細長いガイド部材６３１とが延びている。リングホルダー受け部６１７に設けられたコネクター受け部６３４およびガイド溝６２８が、リングホルダー６７０をマニホールド本体６１６に対して確実に保持するためにリングホルダー６７０のコネクター部６３５およびガイド部材６３１とそれぞれ嵌合するように構成されている。マニホールド本体６１６は、図６に示すように、表面またはキャスター付きスタンド６３０などの（例えば、車輪または足部の上の）可動支持体に恒久的に装着されることができるマニホールド基部６１４に任意選択で装着されることができる。蓋６１１および／またはキャニスター本体６１２は、例えば、キャニスターおよび／または蓋がマニホールド６１９に対して単一方向または限定された方向の選択でしか装着されることができないように、突起を持つかまたはリングホルダー６７０の受け部および／またはリングホルダー受け部６１７に対応する突出部を含むことができる。
【００３８】
マニホールド６１９は、真空源コネクター６２０を介して医療施設の中央真空源などの主真空源から真空圧を受けることができ、またはマニホールド内に直接収容されるかまたはマニホールドに取り付けられた真空ポンプを有することができる。図１〜５に関して図示および説明したマニホールド１１９と同様に、主真空源は、共通真空チャンバーかまたは、図１０に示すように、共通真空源通路６２３に接続されることができ、１つ以上の補助真空源コネクター開口部６３７に通じる単一のまたは複数の補助真空源通路６８８に分割されることができる。製造を簡単にするために、通路６２３、６８８は、マニホールド本体６１６を貫通して穿孔され、様々な開口部がプラグ６９８によって密閉されることができる。共通真空源通路６２３および補助真空源通路６８８の１つ以上は、１つ以上のユーザー制御可能弁６２２を含むことができる。各弁６２２は、マニホールド６１９の弁受け部６２４に受け入れられる弁本体６４１を含むことができる。各弁本体６４１は、主真空源からのまたは個々の補助真空源コネクターへの真空供給を遮断するためにノブ部６４０を用いて回転されることができる。リングホルダーコネクター部６３５および／または補助真空源コネクター６１５は、コネクター６３５と補助真空源コネクター６１５との境界面の密封を強化するための単一または複数のシールを含むことができる。
【００３９】
各蓋６１１は、例えば図９に示すノズル６７２などの真空源コネクター部をさらに含むことができる。ユーザーがキャニスター組立体６０１をマニホールド本体６１６に装着されたリングホルダー６７０内に配置すると、ノズル６７２の開口部は、真空源をキャニスター組立体６０１と連通させることができるように、補助真空源通路６８８と連通しているリングホルダー６７０の開口部６７７と接触する。接続部のシールを強化するためにノズル６７２とリングホルダー６７０との間にノズルシール６７１を設けることができる。
【００４０】
図６〜１０の実施形態において、ノズル６７２を介して蓋真空通路６０７に供給された真空は、蓋真空チャンバー６７８を通り、ライナー真空通路６８４を介してライナー６１３の内部に、および間隙真空通路６８２を介して間隙空間６８０に送られる。各蓋６１１は、患者ポート６１０および／またはタンデムポート６０６をさらに含むことができ、図１〜３に示される付属ポート１０４と同様の付属ポート（図示せず）を任意選択で含むことができる。ポートキャップ６９０は、互いに繋がれ、蓋６１１と一体成形されたアンカー６９１に取り付けられている。ポートキャップは、蓋と一体的に成形されるかまたは蓋と別に設けられることができ、当業者に理解されるように様々な手段によって蓋に取り付けられることができ、例えば、接着剤で取り付けられ、溶接され、縛られ、または他の同様の手段によって取り付けられることができる。
【００４１】
この実施形態において、蓋真空通路キャップ６０８の一部は、蓋真空チャンバー６７８内の負圧の存在を示す真空管６７５として構成される。真空管６７５は、キャップ６０８の隣接する壁部よりも弾性のある材料で形成されることができ且つ／または周囲の壁部よりも薄い壁の厚さを有することができるドーム形の壁部であることができる。蓋真空チャンバー６７８内の負圧が所望の閾値に達すると、真空管ドームが反転し、それにより真空がキャニスター組立体６０１に供給されているという視覚的および／または聴覚的な表示を提供することができる。キャニスター組立体６０１への吸引供給が遮断されると、真空管６７５のドームがその元の状態に戻り、それによりキャニスターへの吸引供給が遮断されていることが示される。真空管６７５は、同じ材料からキャップ６０８と一体的に成形されることができ、またはオーバーモールド、接着、溶接、または他の方法で密封するようにキャップ６０８に固定されることができる異なる材料で形成されることができる。
【００４２】
システム１００に関して上述したフィルター／弁１３８と同様のフィルター／弁６３８が、ライナー６１３の内部と間隙空間６８０との間に上述した圧力差を提供するために、且つ吸引された気体のためのフィルターおよび／または集められた流体がフィルター６３８に接触したときにキャニスターに供給される吸引を遮断するための遮断弁として機能するように、ライナー真空通路６８４とライナー６１３の内部との間に配置されている。図６〜１０の実施形態において、フィルター／弁６３８は、ライナー６１３の内部に面するライナー真空通路の端部においてフィルター／弁ハウジング６３９内に配置される。また、本明細書に開示されている特徴の多くは、流体がキャニスター自体に直接集められるようにライナーがないキャニスターシステムに関連しても実施され得ることが、当業者には理解されるであろう。
【００４３】
図６〜９に示すように、この実施形態の蓋６１１は、凝固剤および／または殺菌剤などの処理剤（図示せず）を格納するために蓋６１１の裏面に凹部を画定するドーム部６９５を含む。粉状または粒状の凝固剤または殺菌剤が、例えば、跳ね上げまたは流出を防止し且つライナーにまたは直接キャニスター自体に集められた廃液の輸送および処理中の人員の汚染のリスクを低減するために、一般に集められた流体に添加される。このような処理剤は、ドーム部６９５の凹部に格納されることができ、凹部は、次いで、例えば、ホイルまたはフィルムシール６９６によって封止されることができ、ホイルまたはフィルムシール６９６は、接着剤、熱、音波溶接、または他の適切な封止方法および機構で封止されることができる。外科処置の後、あるいはライナーまたはキャニスターが集められた流体で満たされた後など、所望の場合に、ユーザーはドーム部６９５の頂部を押すことができ、これによりドーム部６９５が崩壊し、部分的に崩壊し、または反転し、ドーム部６９５の内容物に十分な圧力をかけてシール６９６を破裂させるかまたは他の方法で破損させ、それによって内容物を集められた流体に放出する。この特徴により、ポートを開けるか又は廃液に直接アクセスして処理剤を入れたり、別個の処理剤容器を取り付けたりする必要なく、集められた流体を殺菌し且つ／または凝固させることができる。様々な構造が、処理剤を収容するためにライナーおよび／またはキャニスターの内部に面した蓋の一部に空間を提供するのに好適であり、且つ蓋の上向き側に作用する力の結果として少なくとも部分的に崩壊するのに十分に可撓性であることが、理解されるであろう。ホイルまたはフィルムシールに加えて様々なシール構造を本開示の範囲内で実施できることも、当業者には理解されるであろう。１つの非限定的な例として、撓みによって内容物にかかる圧力またはドーム部の少なくとも部分的な崩壊がキャップまたはプラグを除去または破裂させ、それによって内容物を集められた流体に放出することができるように、キャップまたはプラグを、締まり嵌め、摩擦嵌め、および／またはスナップ嵌めによって、蓋の裏面の受け部に取り付けることができる。
【００４４】
キャニスター本体６１２および／またはライナー６１３は、キャニスターに収容された流体の量を示すためのマーキング６４２（図６）を含むことができる。キャニスター本体６１２は、キャニスターの周りに収縮包装されるか、キャニスターに恒久的に印刷もしくは成形されるか、または取り外し可能なストリップの形態であることができる書き込み可能部６４４をさらに含むことができる。様々な実施形態において、ライナーは、使用中にキャニスターを介して読み取り可能な容量マーキングを含む。マニホールドおよび／または装着ブラケットはまた、収納部を含むことができる。例えば、フック、棚、引き出し、キャビネット、容器、または付属品を保管、収容または保持するのに適した他の装置として、収納部を形成することができることは、当業者には理解されるであろう。
【００４５】
本開示の態様による流体収集システムの代替的な実施形態を図１１〜２２に示す。この例示された実施形態の流体収集システム８００は、図１〜５のシステム１００および図６〜１０のシステム６００と構成および動作が似ている。システム１００およびシステム６００に関して上述したような様々な特徴および要素が、本開示の範囲内に留まると同時に、システム８００の変形例で実施され得ることが、当業者には理解されるであろう。図１１〜２２に示す実施形態において、システム８００は、キャスター付きスタンド８３０の上端に装着された真空マニホールド８１９を含む。１つ以上のキャニスター組立体８０１をマニホールド８１９に装着し、マニホールド本体８１６、マニホールド基部８１４、および／またはロールスタンド８１５によって所望の位置および向きに支持することができる。
【００４６】
各キャニスター組立体８０１は、開口部８１８（図１３）を有するキャニスター８１２と蓋８１１とを含み、図１（ｂ）に示し且つ上述したライナー１１３と同様の取り付けられたライナー８１３を含むことができ、またはキャニスター８１２内に流体を直接受け入れることができる。蓋８１１は、患者ポート８１０と、付属またはタンデムポート８０６とを含む。様々な実施形態において、例えば、追加の吸引器具またはチューブを接続し、他のキャニスター組立体に接続し、ライナーまたはキャニスターに集められた流体の排液または排出を容易にし、凝固剤および殺菌剤を導入し、サンプリングおよび測定のために集められた流体にアクセスし、且つ／または固形物フィルターまたは煙フィルターなどの様々な付属品を接続するために、様々なサイズおよび構成の１つ以上の追加のポートまたは接続部を含むことができる。各蓋８１１は、図１〜５のシステムのキャップ１０８と同様の機能を有する蓋真空通路キャップ８０８を含むことができ、各蓋８１１はまた、１つ以上の一体的に成形されたハンドル８０２を含むことができる。代わりに、１つ以上のハンドルを、蓋および／またはキャニスター本体に任意の適切な方法で旋回可能に装着しまたは取り付けることができる。
【００４７】
この実施形態において、蓋８１１は、蓋８１１の環状壁８５２とキャニスター本体８１２の縁８５４（図１３および１７）との間の締まり嵌めを用いてキャニスター本体８１２と共に密封を形成する。また、蓋８１１はタブ８５６でキャニスター本体８１２のリム８５５に固定される。各タブ８５６は、蓋８１１をキャニスター開口部８１８の上に下ろすときにリム８５５と係合し、タブ８５６を外側に偏向させる、傾斜した突起８５７を含む。傾斜した突起８５７がリム８５５の下端を通過すると、タブ８５６は内向きに後退し、傾斜した突起８５７をリム８５５の下端の下に配置し、蓋８１１とキャニスター本体８１２との確実なロック接続をもたらす。タブ８５６は、所定の位置に嵌めこむときに可聴で且つ触覚的な「クリック」を提供し、蓋が適切に据え付けられてキャニスターにロックされていることをユーザーに示す。様々な実施形態において、キャニスター本体および蓋は、例えば、締まり嵌め、ねじ付きキャニスター本体および対応するねじ付き蓋、除去可能または恒久的な接着剤／封止剤、キャニスターと蓋との確実な機械的接続を形成するための撓み可能または変形可能なタブ、および／または蓋とキャニスターとの密封係合を提供するための任意の他の方法または機構を用いて取り付けられるように構成されることができる。キャニスター本体または蓋は、キャニスター本体と蓋との間に確実な接続が確立されたことを示す視覚的、聴覚的、および／または触覚的な表示を含むことができる。
【００４８】
この例示的なシステム８００において、キャニスター本体８１２は、キャニスター８１２を直立姿勢で支持するために真空マニホールド８１９のキャニスター受け部８１７に設けられた対応する装着スロット８６４と嵌合するように構成された対向する一対の装着レール８６２を含む装着部８０９を含む。保持タブ８６６は、キャニスター８１２の取り外しに対する追加の抵抗を提供することによって、キャニスター受け部８１７にキャニスター８１２を保持するのを補助するように構成される。代わりに、ばね付勢されたピンおよびスロット機構のような解放可能なロック機構、締まり嵌めおよび摩擦増大嵌合のような抵抗機構、または任意の適切な方法または機構を用いて、キャニスター本体をマニホールド上の安定した装着位置に保持するのを助け、キャニスターの偶発的または意図しない取り外しを防止するのを助けることができる。キャニスター８１２は、取り付けおよび取り外し中のキャニスターの取り扱いを容易にし、且つキャニスターがマニホールド８１９に装着されたときにマニホールド本体８１６の横方向の面との接触によってキャニスター８１２の動きを制限するための止め具を提供する、フランジ８６８を含む。キャニスターフランジ８６８はまた、キャニスター８１２からの蓋８１１の取り外しを補助することができる。蓋８１１は、ユーザーの指先が蓋フランジ８５８の下側をつかむようにユーザーがつかむことができる蓋フランジ８５８を含む。蓋フランジ８５８は、蓋８１１がキャニスター８１２に取り付けられたときにキャニスターフランジ８６８の上面の一部を露出させる引っ込んだ所８５９を含む。ユーザーは、蓋フランジ８５８の下側を指先でつかんだ状態で、同時にキャニスターフランジ８６８の露出部を親指で下方に押し、蓋８１１を持ち上げるときにてこの作用を提供することができる。蓋フランジ８５８に加えられた上向きの力はまた、タブ８５６を半径方向外側に撓ませ、それにより傾斜した突起８５７をリム８５５の下側から外側に動かし、蓋８１１を持ち上げてキャニスター８１２から取り外すことを可能にする。また、キャニスター８１２は、追加の強度および剛性を提供するため、且つライナーとキャニスター壁との間の摩擦を低減すること、および周囲圧力または大気圧がそうでなければ使用中にライナーとキャニスター壁との間にたまって密封される可能性のある真空圧を解放するための通路を設けることによって、蓋／ライナーの取り外しを容易にするために、キャニスター８１２の内壁に沿ってリブ８６９を含むことができる。
【００４９】
図２０を参照すると、蓋８１２は、ライナー８１３の内部と蓋真空ポート８５０との間で真空を連通させる蓋真空通路８０７を画定する。蓋真空通路８０７は、蓋８１１がキャニスター本体８１２に装着されたときに、キャニスター開口部８１８の外周を越えて水平面内で半径方向外側に延びる突出部８５１を通って延びる。蓋真空ポート８５０は、図１７に示すように、突出部８５１の先端部に設けられている。蓋８１１の間隙真空通路８４２が、蓋真空通路８０７内に存在する真空を間隙空間８８０と連通させる。蓋真空通路キャップ８０８が、例えば、レーザー、熱、摩擦、または超音波溶接、接着剤、締まり嵌めまたはスナップ嵌めによって、または任意の他の適切な方法および機構を使用することによって、蓋に対して取り外し可能にまたは恒久的に封止されることができる。代わりに、蓋真空通路キャップ８０８は、別個の蓋真空通路キャップ部品が不要であるように、蓋８１１と一体成形されることができる。フィルターおよび／または流体遮断弁８３８が、蓋真空通路８０７の端部とライナー８１３の内部との間に設けられる。代わりに、フィルターおよび／または遮断弁は、蓋真空通路内に、またはライナーの内部と間隙真空通路との間の真空経路に沿った任意の位置に配置されることができる。様々な他の実施形態において、フィルターおよび／または遮断弁は、間隙空間と蓋真空通路との間の真空経路に沿った任意の位置、およびマニホールドとライナーの内部との間の真空経路に沿った任意の位置に配置することができる。
【００５０】
図２０に示すように、蓋真空ポート８５０は、マニホールド８１９に設けられた補助真空源コネクター８１５と嵌合するように構成される。蓋８１１のキャニスター８１２への取り付けを容易にするために、蓋８１１の裏面から延びるガイド部材８５３（図１７）がキャニスター８１２に接触し、ユーザーが蓋をキャニスター８１２の上に下ろすときに蓋を適切に心合わせするように導く。蓋８１１および／またはキャニスター本体８１２は、例えば、キャニスターおよび／または蓋が単一の向きまたは限定された方向の選択でしか装着されることができないように、突起を持つかまたはキャニスター８１２の受け部および／またはマニホールド８１９に一致する突出部を含むことができる。様々な実施形態において、キャニスターおよび／またはマニホールドに対する蓋の適切な向きおよび位置合わせを示すために、キャニスター、蓋、および／またはマニホールド上に視覚的および／または触覚的な表示を設けることができる。補助真空源コネクター８３５および／または蓋真空ポート８５０は、補助真空源コネクター８３５と蓋真空ポート８５０との境界面の密封を強化するために、単一または複数のシール、例えばＯリングシールを含むことができる。
【００５１】
マニホールド８１９は、主真空源コネクター８２０を介して主真空源ラインから真空圧を受けることができる。代わりに、真空ポンプまたは他の真空源をマニホールド内に直接収容するかまたはマニホールドに取り付けることができる。図１〜５に関して図示および説明したマニホールド１１９と同様に、主真空源は、共通真空チャンバー、または図２０に示すように、共通真空源通路８２３に接続されることができ、１つ以上の補助真空源コネクター８１５に通じる単一または複数の補助真空源通路８８８に分割されることができる。この実施形態において、共通真空源通路８２３および補助真空源通路８８８は、マニホールド本体８１６およびマニホールド基部８１４とは別に成形された中央マニホールド部品８８２によって画定される。代わりに、補助真空源通路８８８は、成形後に穿孔または機械加工されることができ、図６〜１０のマニホールド６１９と同様にマニホールド本体および／またはマニホールド基部と一体成形されることができる。
【００５２】
共通真空源通路８２３および補助真空源通路８８８の１つ以上は、例えば、主真空源からのまたは各補助真空源コネクター８１５への真空連絡を別々に遮断するためのノブ８４０によってユーザーが制御可能な１つ以上の弁８２２を含むことができる。例えば、図１１〜２２の実施形態において、共通真空源通路８２３と補助真空源コネクター８１５との間で真空を連通させることができるように、弁８２２が開位置にあるときに、弁通路８４４が補助真空源通路８８８の上流および下流開口部８４５、８４６と整列するように、弁８２２は補助真空源通路８８８に沿って配置される。弁８２２が閉位置に回転されると、シールパッド８４７、８４８が開口部８４５、８４６を閉じて、共通真空源通路８２３と補助真空源通路８８８の弁８２２の下流の部分８８９との間の真空の連通を防止する。
【００５３】
弁８２２が閉位置に回転されたときに下流開口部８４６が完全に密閉される場合、使用中に間隙空間８８０にためられた真空は、間隙空間８８０と大気との圧力差の結果として、キャニスター８１２からの蓋８１１の取り外しを困難にする可能性がある。また、ライナー８１３に集められた流体は、間隙空間８８０および／またはライナー８１３の内部の急激な圧力変化の結果として逆流する可能性がある。これらの困った問題を回避するために、弁８２２は、弁８２２が閉位置にあるときに所定の速度で大気圧が補助真空源通路８８８の下流部分８８９に（および、その結果として蓋真空通路８０７を通って間隙空間８８０および／またはライナー８１３の内部に）入ることを可能にするように構成された逃し通気管（リリーフベント）８２８を含む。通気シールパッド８４８が下流開口部８４６を覆うとき（すなわち、弁８２２が閉位置にあるとき）、大気圧は、弁本体８２６および通気シールパッド８４８およびマニホールド基部８１４の開口部（図示せず）を通して設けられた通路８６２、８６４を通って補助真空通路８８８の下流部分８８９に入ることができる。大気への通気が、間隙空間および／またはライナーの内部を大気に連通するように設計された様々な代替的な経路の設定または他の特徴または構成によって達成され得ることは、当業者には理解されるであろう。
【００５４】
蓋８１１は概ね凸形状の上面を備えた中央部を有するものとして図示されているが、様々な代替的な実施形態において、蓋は、強度を増すため、使用中に蓋の両側の圧力差の結果として蓋の撓みまたは反りを減少させるため、および／または使用中に蓋とキャニスターとの間および／または蓋と補助真空源コネクターとの間の密封を強化するために設計された特徴を含むことができる。例えば、図２３〜２７に示す実施形態において、蓋８７０は、使用中に蓋８７０に引張応力の分散を容易にする凹形状の中央部８７１を含む。図２７に示すように、蓋８７０は、蓋真空通路キャップ８８３を介して蓋に取り付けられた繋がれたキャップ８８２を含むことができる。図２８〜２９に示す実施形態において、蓋８７２は、蓋８７２の裏面に１つ以上の径方向リブ８７３を含む。図３０〜３１に示す別の例示的な実施形態において、蓋８７４は、蓋８７４の裏面にハニカムパターンのリブ８７５を含む。図３２〜３５の実施形態において、蓋８７６は、環状段部８７７を含む。図３６〜３８の実施形態において、蓋８７８は、使用中に蓋８７８の中央部の下方への反りの結果として蓋真空通路壁部８８１に作用する応力を低減するように構成された逃げ凹部８７９を含む。当業者は、蓋の強度、剛性、シール性、および他の性能特性を高めるために、様々な特徴および方法を利用できることを理解するであろう。
【００５５】
本開示による流体収集システムの別の実施形態を図３９〜４６に示す。この実施形態において、流体収集システム９００は、図３９に示す流体収集キャニスター組立体９１０を含む。キャニスター組立体９１０は、実質的に剛性のキャニスター９１２と、実質的に剛性の蓋９１４と、可撓性のライナー９１６とを含む。キャニスター９１２は、上端に開口を有する容器を形成する。図示されるように互いに連結されると、蓋９１４およびキャニスター９１２は、以下キャニスターの内部と称する、実質的に密閉された内部空間を画定する。可撓性のライナー９１６は、蓋９１４の裏面に固定され、ライナー９１６および蓋９１４は、一緒になって、以下ライナーの内部と称する、実質的に密閉された内部空間を画定する。蓋９１４が図示されるようにキャニスター９１２に連結されると、ライナー９１６は、ライナーの内部もキャニスターの内部に配置されるように、キャニスター９１２の内部に配置される。キャニスター９１２の内面とライナー９１４の外面との間に残る空間を、本明細書では間隙空間９１８と称することができる。蓋９１４は、患者ポート９２０、タンデムポート９２２（直接見ることができない）、および突出部材９２６の下側にある蓋真空ポート９２４（直接見ることができない）を含む。
【００５６】
図４０〜４１を参照すると、４つのキャニスター組立体９１０ａ〜９１０ｄが、キャスター付き支持スタンド９６０に装着されて示されている。真空ポート９２４ａは、真空マニホールド９３６の装着インターフェース９３０ａに設けられた結合可能な真空ポート９３４ａと協働する。各装着インターフェース９３０ａ〜９３０ｄに設けられた真空ポート９３４のような真空ポートは、真空マニホールド９３６を通して医療施設の中央真空ラインなどの吸引源（図示せず）と選択的に流体連通する。吸引源で提供された負圧は、前述の実施形態の蓋真空通路１０７、６０７、８０７と同様に、真空マニホールド９３６を通って、真空ポート９３４ａおよび９２４ａを通って、蓋９１４ａの流路または通路（図示せず）を通ってライナー９１６ａの内部に、ライナー９１６ａの内部から患者ポート９２０ａを通って吸引チューブ（図示せず）を通って患者または吸引器具に伝達される。吸引チューブの開放端での吸引は、吸引チューブを通してライナーの内部に液体、気体、蒸気、固体、および微粒子を引き込む。一般に、液体および固体はライナー内に集められ、一方、気体は、蓋９１４ａの真空ポート（図示せず）のフィルターを通過し、キャニスター組立体９１０ａから出て、吸引源に向かう。
【００５７】
直列に連結されている場合、図４３に示すように、弁付きポートコネクター９２１ａを引き上げてポートを閉じることができる。代わりに、突出部材９２６ａの真空流路を通してライナー９１６ｂの内部に吸引が供給されるのを防ぐために、真空弁およびインジケーター９３８ａを閉じることができる。図４２で最もよく見られるように、タンデムコネクターアーム９４０ａを、アーム９４０ａの遠位端９４４ａに設けられた遠位ポートが第２キャニスター組立体９１０ｂのタンデムポート９２２ｂと連結するように、近位端９４１ａの周りで回転させることができる。この結果として、ライナー９１６ａの内部に存在する真空は、第２ライナー９１６ｂの内部におよび第２キャニスター組立体９１０ｂの患者ポート９２０ｂを通って患者または吸引器具に連通される。集められた流体は、患者ポート９２０ｂを通って第２ライナー９１６ｂの内部に入る。流体が第２キャニスター内のフィルターのレベルまで上昇すると、フィルターは膨張して真空ポート９２４ｂを封鎖し、流体が真空マニホールドに入るのを防止する。タンデムコネクターアーム９４０ａを通して加えられる真空がタンデムコネクター９２２ｂに存在し、この結果として流体を第１キャニスター組立体９１０ａの可撓性ライナー９１６ａの内部に引き込む。追加の流体収集体積容量を提供するために、追加のキャニスター組立体を直列に接続するために同様の構成を繰り返すことができる。タンデムコネクターアーム９４０ａは、遮断弁（図示せず）を含み、遮断弁は、アームが閉位置まで蓋の中心に向かって回転されたときに流体または真空がアームを通過するのを防ぐために閉じられ、アームが開状態まで蓋から離れる方向に回転されたときに（すなわち、アームが伸ばされたときに）流体および真空の連通を可能にするように開かれる。したがって、蓋９１４ａのような蓋は、独立型のキャニスターとして使用することができ、または流出および漏れの危険性が少ない直列構成で使用することができる。
【００５８】
図４４を参照すると、弁付きポートコネクター９２１ａは、様々なチューブ位置により良好に適合するように、その垂直軸の周りで回転可能であり、チューブ管理ガイド９４６は、様々な構成でチューブを拘束してその経路を定める。
【００５９】
図４５に示すように、化学薬品送達機構９５０は、ライナー９１６ａの内部に集められた流体を処理するために、ライナー９１６ａの内部に化学薬品を供給するように作動されることができる。別の実施形態において、蓋９８０は、図４６Ａ〜４６Ｃに示すように、蓋９８０に開口部を画定する概ね円筒形の壁９８４を含む。可撓性のドーム状キャップ９８６が開き口の上部開口部を密封し、レーザー微小穿孔フィルムシール９８８が開き口の底部を覆い、それにより、貯蔵器９９０内に化学薬品を拘束する。ドーム状キャップ９８６が押されると、穿孔フィルムシール９８８が破裂し、貯蔵器９９０内に収容された化学薬品がライナー９８２の内部に放出される。
【００６０】
本発明の態様をその１つ以上の変形例に関して説明および図示してきたが、これらの態様をそのような詳細に限定することは出願人の意図ではない。むしろ、出願人の意図は、本発明の態様を、本明細書によって示唆され、当業者に知られている、本発明の範囲内に入る変形例のすべての等価物によって定義することである。また、上記の態様の特徴は、上述した特徴の任意の組み合わせを有する本開示の態様を作成するために組み合わせるかまたは置き換えることができる。
【符号の説明】
【００６１】
１００  流体収集システム
１０１  キャニスター組立体
１０２  ホルダー
１０４  付属開口部
１０６  タンデムポート
１０７  蓋真空通路
１０８  蓋真空通路キャップ
１０９  装着部
１０９ａ  真空開口部
１１０  患者ポート
１１１  蓋
１１２  キャニスター
１１２ａ  キャニスター壁
１１３  ライナー、半可撓性ライナー
１１４  マニホールド基部
１１５  補助真空源コネクター
１１６  マニホールド本体
１１７  キャニスター受け部
１１８  真空源蓋
１１９  マニホールド
１２０  真空源コネクター
１２１  ポートキャップ
１２２  制御弁
１２３  共通真空チャンバー
１２４  制御弁受け部
１２５  キャニスター開口部
１２８  ガイド溝
１３０  基部
１３１  ガイドフランジ
１３３  止め具
１３４  コネクター受け部
１３５  コネクター部
１３６  装着基部
１３８  フィルター／弁
１４０  レバー部
１４１  Ｏリング
１４２  スナップ嵌め部
１４３  スナップ嵌め受け部
１４４  止め具
１４５  弁通路
１４６  弁開口部
１５０  弁
１５２  可撓性材料
１５４  弁開口部
２００  間隙空間
２０２  間隙真空通路
２０４  主真空通路
２０６  接合部
２０８  補助真空源通路
６００  流体収集システム
６０１  キャニスター組立体
６０２  ハンドル
６０６  タンデムポート
６０７  蓋真空通路
６０８  蓋真空通路キャップ
６０９  装着部
６１０  患者ポート
６１１  蓋
６１２  キャニスター
６１３  ライナー、半可撓性ライナー
６１４  マニホールド基部
６１５  補助真空源コネクター
６１６  マニホールド本体
６１７  リングホルダー受け部
６１９  マニホールド
６２０  真空源コネクター
６２１  肩部
６２２  制御弁
６２３  共通真空源通路
６２４  制御弁受け部
６２５  キャニスター壁
６２８  ガイド溝
６３０  キャスター付きスタンド
６３１  ガイド部材
６３４  コネクター受け部
６３５  コネクター部
６３６  シール
６３７  補助真空源コネクター開口部
６３８  フィルター／弁
６３９  フィルター／弁ハウジング
６４０  ノブ部
６４２  マーキング
６４４  書き込み可能部
６７０  リングホルダー
６７１  ノズルシール
６７２  ノズル
６７５  真空管
６７７  開口部
６７８  蓋真空チャンバー
６８０  間隙空間
６８２  間隙真空通路
６８４  ライナー真空通路
６８８  補助真空源通路
６９０  ポートキャップ
６９１  アンカー
６９５  ドーム部
６９６  シール
６９８  プラグ
８００  流体収集システム
８０１  キャニスター組立体
８０２  ハンドル
８０６  タンデム／付属ポート
８０７  蓋真空通路
８０８  蓋真空通路キャップ
８０９  装着部
８１０  患者ポート
８１１  蓋
８１２  キャニスター
８１３  ライナー
８１４  マニホールド基部
８１５  補助真空源コネクター
８１６  マニホールド本体
８１７  キャニスター受け部
８１８  キャニスター開口部
８１９  マニホールド
８２０  主真空源コネクター
８２２  弁
８２３  共通真空源通路
８２６  弁本体
８２８  逃し通気管
８３０  キャスター付きスタンド
８３８  フィルター／弁
８４０  ノブ
８４２  間隙真空通路
８４４  弁通路
８４５  上流開口部
８４６  下流開口部
８４７  シールパッド
８４８  通気シールパッド
８５０  蓋真空ポート
８５１  蓋突出部
８５２  環状壁
８５３  ガイド部材
８５４  キャニスター縁
８５５  キャニスターリム
８５６  蓋タブ
８５７  傾斜した突起
８５８  蓋フランジ
８５９  引っ込んだ所
８６２  装着レール
８６４  装着スロット
８６６  保持タブ
８６８  キャニスターフランジ
８６９  キャニスターリブ
８７０  蓋
８７１  中央部
８７２  蓋
８７３  リブ
８７４  蓋
８７５  リブ
８７６  蓋
８７７  段部
８７８  蓋
８７９  凹部
８８０  間隙空間
８８１  蓋真空通路壁部
８８２  中央マニホールド部品
８８８  補助真空源通路
８８９  下流部分
９００  流体収集システム
９１０  キャニスター組立体
９１２  キャニスター
９１４  蓋
９１６  ライナー
９１８  間隙空間
９２０  患者ポート
９２１  ポートコネクター
９２２  タンデムポート
９２４  蓋真空ポート
９２６  突出部材
９３０  装着インターフェース
９３４  真空ポート
９３６  マニホールド
９３８  真空弁／インジケーター
９４０  タンデムコネクターアーム
９４１  タンデムコネクターアーム近位端
９４４  タンデムコネクターアーム遠位端
９４６  チューブ管理ガイド
９５０  送達機構
９６０  支持スタンド
９８０  蓋
９８２  ライナー
９８４  蓋壁
９８６  ドーム状キャップ
９８８  フィルムシール
９９０  貯蔵器
【図１（ａ）】
2019517285.tif 000003
【図１（ｂ）】
2019517285.tif 000004
【図２】
2019517285.tif 000005
【図３】
2019517285.tif 000006
【図４】
2019517285.tif 000007
【図５】
2019517285.tif 000008
【図６】
2019517285.tif 000009
【図７】
2019517285.tif 000010
【図８】
2019517285.tif 000011
【図９】
2019517285.tif 000012
【図１０】
2019517285.tif 000013
【図１１】
2019517285.tif 000014
【図１２】
2019517285.tif 000015
【図１３】
2019517285.tif 000016
【図１４】
2019517285.tif 000017
【図１５】
2019517285.tif 000018
【図１６】
2019517285.tif 000019
【図１７】
2019517285.tif 000020
【図１８】
2019517285.tif 000021
【図１９】
2019517285.tif 000022
【図２０】
2019517285.tif 000023
【図２１】
2019517285.tif 000024
【図２２】
2019517285.tif 000025
【図２３】
2019517285.tif 000026
【図２４】
2019517285.tif 000027
【図２５】
2019517285.tif 000028
【図２６】
2019517285.tif 000029
【図２７】
2019517285.tif 000030
【図２８】
2019517285.tif 000031
【図２９】
2019517285.tif 000032
【図３０】
2019517285.tif 000033
【図３１】
2019517285.tif 000034
【図３２】
2019517285.tif 000035
【図３３】
2019517285.tif 000036
【図３４】
2019517285.tif 000037
【図３５】
2019517285.tif 000038
【図３６】
2019517285.tif 000039
【図３７】
2019517285.tif 000040
【図３８】
2019517285.tif 000041
【図３９】
2019517285.tif 000042
【図４０】
2019517285.tif 000043
【図４１】
2019517285.tif 000044
【図４２】
2019517285.tif 000045
【図４３】
2019517285.tif 000046
【図４４】
2019517285.tif 000047
【図４５】
2019517285.tif 000048
【図４６Ａ】
2019517285.tif 000049
【図４６Ｂ】
2019517285.tif 000050
【図４６Ｃ】
2019517285.tif 000051
【国際調査報告】
2019517285.tif 000052
2019517285.tif 000053
2019517285.tif 000054
2019517285.tif 000055